(57)【要約】【目的】電動工具によるパイプカッティングガイド及びそのカッティング用パイプの支受台並びにその電動工具と支受台を用いたパイプの切断方法に関し、大口径の硬質ビニールパイプをグラインダでの切断作業を簡単且つ正確で安全性を高めるようにした。【構成】管体抱持用ガイドリング体（１）と、そのガイドリング体の円周方向に装着するガイドアダプタ（２）と、当該ガイドアダプタの連結部材（５）に装着する空回り装着部付きロックナット（３）と、そのロックナットを装着する駆動軸（１０）付きのグラインダ等（４）とから成り、ガイドリング体（１）は分割基端部をヒンジ結合し、分割先端部に止め金具（７）を設け、ガイドアダプタ（２）はガイドリング体（１）に嵌め込む凹溝（８）を設け、そのリング体の底辺（９）を管体の外径面に適合する円弧形にし、前記ロックナット（３）側の装着部（６）には、駆動軸（１０）の駆動力を連結部材（５）に伝達しない軸受け（１１）を組み込んだ構成。【選択図】      図１
2004243484.tif 000002
【特許請求の範囲】
【請求項１】
管体（Ｐ）を抱持するガイドリング体（１）と、そのガイドリング体に沿って円周方向に移動できるように装着するガイドアダプタ（２）と、そのガイドアダプタの側面に設けた連結部材（５）に対して接合する装着部（６）付き空回りロックナット（３）と、その装着部付きロックナットにディスクホイール（１２）の駆動軸（１０）を装着するためのグラインダ等（４）とから成り、ガイドリング体（１）は２分割の半円部位の基端部をヒンジ（１１）で開閉できるように結合し、先端部に当該ガイドリング体の締着ができるように止め金具（１２）を設け、ガイドアダプタ（２）の下部をガイドリング体（１）の横幅方向の両側面（１′）と外径面（１″）に嵌め込めるような凹溝（８）を設けると共に、そのガイドリング体（１）の底辺（９）を管体の外周面に適合する円弧形状とし、装着部付き空回りロックナット（３）には、連結部材（５）に対してグラインダ等（４）の駆動軸（１０）の駆動力を伝達しないための軸受け（１１）を組み込んだことを特徴とする電動工具を用いたパイプカッティングガイド。
【請求項２】
基台（１３）に管体受け部材（１４）を所定の間隔（Ｗ）をおいて設置し、且つその管体受け部材の中心部を挟んだ左右に管体受けローラー（１５）を配置すると共に、一方のローラーの軸（１６）に片方向にのみ回転するラチェットギヤー機構（１７）を組み込み、基台（１３）に起立させた支柱（１８）に上下調節できるように装着した横杆（１９）にガイドアダプタ（２′）を挿通孔（２０）又は請求項１のガイドアダプタ（２）の凹溝（８）を介してスライドできるように装着したことを特徴とする電動工具を用いた切断用パイプの支受台。
【請求項３】
管体（Ｐ）の切断個所をマーキングした後、そのマーキング個所から所定の寸法（Ｌ）だけ離れた個所にヒンジ（１１）を介して分割開閉式ガイドリング体（１）を巻き付けてから止め金具（１２）で締着し、あらかじめガイドアダプタ（２）の連結部材（５）に接合した装着部（６）付き空回りロックナット（３）をグラインダ等（４）の駆動軸（１０）に締め付けた後、グラインダ等（４）のスイッチをＯＮにし、ガイドアダプタ（２）の後部をリングガイド体（１）にはめ込んでその底辺（９）の角部（９１）を管体（Ｐ）の外径面に当て、且つ当該個所を支点にして前方向に倒し込みながら切断を行い、且つリングガイド体（１）に沿ってガイドアダプタ（２）をスライドできるようにしたことを特徴とする電動工具と支受台を用いたパイプの切断方法。
【発明の詳細な説明】
【０００１】
【発明が属する技術分野】
本発明は手持ち式の電気ディスクグラインダや電気丸鋸等の電動工具を使ったパイプカッティングガイド及びその切断用パイプの支受台並びに電動工具と支受台を用いたパイプの切断方法であり、大口径の硬質ビニールパイプの切断作業を簡単且つ正確でスピーディに行い、さらに安全性を高められるようにしたものである。
【０００２】
【従来の技術】
従来、大口径の硬質ビニールパイプ例えば１５０ＶＵ−ＶＰと呼ばれる管体の切断等において、真っ直ぐに切るためには、バンドソーという大掛かりな機械を使われていた。
しかしながら、大掛かりの機械だけに鉄管を切断する現場でない限り、車に載せるスペースや使い勝手を考え、一戸建て住宅等の現場においてバンドソーという機械を用いることは殆どなくなっているのが現状である。
【０００３】
そこで、切断するものが硬質ビニールパイプということで、上記のバンドソーに代わる切断作業方法として、大別して第１に手動式でパイプソーと呼ばれるノコギリ、第２に電気ディスクグラインダ又は電気丸鋸の２通りがある。
【０００４】
【発明が解決しようとする問題点】
ところが、上記のパイプソーと呼ばれるノコギリや、切断用ディスクグラインダ等においては、直径が７５ｍｍからそれ以上のパイプになると罫書きを必要とし、それでも真直ぐに切断するのが難しく、疲労度も高かった。また、バンドソー以外にも切断する機械はあるが、やはり高価のものになってしまう結果になっていた。
【０００５】
【問題点を解決するための手段】
そこで、本発明は従来の問題点を解決し、発明の目的を達成するために提供するものである。
本発明の第１は、電動工具を用いたパイプカッティングガイドにおいて、管体を抱持するガイドリング体と、そのガイドリング体に沿って円周方向に移動できるように装着するガイドアダプタと、そのガイドアダプタの側面に設けた連結部材に対して接合する装着部付き空回りロックナットと、その装着部付きロックナットにディスクホイールの駆動軸を装着するためのグラインダ等とから成り、ガイドリング体は２分割の半円部位の基端部をヒンジで開閉できるように結合し、先端部に当該ガイドリング体の締着ができるように止め金具を設け、ガイドアダプタの下部をガイドリング体の横幅方向の両側面と外径面に嵌め込めるような凹溝を設けると共に、そのガイドリング体の底辺を管体の外径面に適合する円弧形状とし、装着部付き空回りロックナットには、グラインダ等の駆動軸の駆動力を連結部材に対して伝達しないための軸受けを組み込んだものである。
【０００６】
本発明の第２は、電動工具によるカッティング用パイプの支受台において、基台に管体受け部材を所定の間隔をおいて設置し、且つその管体受け部材の中心部を挟んだ左右に管体受けローラーを配置すると共に、一方のローラーの軸に片方向にのみ回転するラチェットギヤー機構を組み込み、基台に起立させた支柱に上下調節できるように装着した横杆にカッティングガイドアダプタを挿通孔又は第１の発明に係るガイドアダプタの凹溝を介してスライドできるように装着したものである。
【０００７】
本発明の第３は、電動工具と支受台を用いたパイプの切断方法において、管体の切断個所をマーキングした後、そのマーキング個所から所定の寸法だけ離れた個所にヒンジを介して分割開閉式ガイドリング体を巻き付けてから止め金具で締着し、あらかじめガイドアダプタの連結部材に接合した装着部付き空回りロックナットをグラインダ等の駆動軸に締め付けた後、グラインダ等のスイッチをＯＮにし、ガイドアダプタの後部をリングガイド体に嵌め込んでその底辺の角部を管体の外径面に当て、当該個所を支点にして前方向に倒し込みながら切断を行い、且つリングガイド体に沿ってガイドアダプタをスライドしながら切断できるようにしたものである。
【０００８】
【発明の実施形態】
硬質のビニール配水管体を支受台に載置し、その管体の切断しようとする個所を筆記具で点や短い線をマーキングする。
【０００９】
そのマーキング個所から所定の寸法だけ離れた個所にあらかじめヒンジを介して開いておいた分割式ガイドリング体を管体に巻き付けてから止め金具で動かないように締め付ける。
【００１０】
切断ガイドアダプタの連結部材に装着部付きの空回りロックナットの装着部を回り止め的に接合する。この接合手段としては、固着による一体化式と抜き差し可能な脱着式とがある。
【００１１】
空回りロックナットのナット部をスパナを使ってグラインダ等の駆動軸に締め付ける。
【００１２】
切断ガイドアダプタの後部をガイドリング体の平面直上から嵌め込むと共に、その後部底辺の角部を管体外径面に接触させる。この状態でグラインダ等のスイッチＯＮにしてディスクホイールを回転させると共に、ガイドアダプタの前部を倒し込むように管体の切断を行う。
【００１３】
切断中において、切断ガイドアダプタをガイドリング体に沿って前方にスライドし、且つ管体をディスクホイールの回転と反対方向に少しづつ回転することによって、連続的に切断を行う。
【００１４】
【実施例】
次に本発明の実施例を図面を以て説明する。１は管体Ｐの外径面を抱持するガイドリング体であり、その幅ａ＝２５ｍｍ、高さｂ＝２０ｍｍに設定してある。そして、ガイドリング体を２分割して、その半円部位の基端部を開閉できるようにヒンジ１１で結合し、ガイドリング体１の先端部にこれを閉じたときに止め金具１２によって動かないように締着するようになっている。
【００１５】
２はガイドリング体１に沿って円周方向にスライドできるように嵌合する切断用のガイドアダプタであり、断面が下向きの凹溝が成形されている。当該ガイドアダプタ側面の連結部材によってグラインダ等を連結して支持するようになっている（図１・図２・図６）。また、図１１〜図１３において、２′は角筒型のガイドアダプタである。
【００１６】
３はそのガイドアダプタ２とグラインダ等を連結するための装着部付き空回りロックナットであり、図７に示すように基端側にグラインダ等の駆動軸に結合するナット部３１が設けられている。なお、図８にあっては、空回りロックナットのナット部３１に伝達軸１０′を設け、これを電気丸鋸の駆動軸１０に連結するような構造になっている。
【００１７】
４は管体１を切断するために手で持てるグラインダ等であり、手持ち式の電気ディスクグラインダ（図７）のほか、手持ち式であれば電気丸鋸４′（図８）を用いることもできる。
【００１８】
５は切断ガイドアダプタ２の側面に設けた連結部材であり、図示例は角孔ソケットを示すが、角軸型プラグ（図示省略）にすることも可能である。
【００１９】
６は空回りロックナット３の基端側ナット部３１と反対の先端側位置に設けた装着部であり、前記の連結部材５に回り止め的に接合するために角軸型プラグに成形してある。なお、その装着部を連結部材５の角軸型プラグに適合する角孔ソケット（図示省略）にすることも可能である。前記の連結部材５と装着部６の接合手段は、両者を固着して一体化する方式と、抜き差し可能な脱着式とがある。
【００２０】
７はガイドアダプタ２の平面部に設けたグリップ、８は同じく切断ガイドアダプタの下部をガイドリング体１の横幅方向の両側面１′と外径面１″に嵌め込めるように成形した凹溝、９は切断ガイドアダプタ２の底辺であり、パイプＰの外径面に適合するように円弧形状部が形成されている。
【００２１】
１０はグラインダ等４の駆動軸、１１は装着部付き空回りロックナット３に組み込んだ軸受けであり、グラインダの駆動軸１０の駆動力を連結部材５に伝達しない構造になっている。１２はグラインダ４等の駆動軸１０に装着する切断用ディスクホイールであり、ダイヤモンドホイール、切断砥石その他硬質のビニール管体Ｐを切断するディスクホイールを用いるものとする。
【００２２】
１３は管体１を切断するときに当該管体を載置して支受するために用いる管体支受用の基台、１４は基台１３の平面に設けた管体受け部材、１５は管体受け部材１４に所定の間隔Ｗを保持すると共に、その管体受け部材の中心部を挟んだ左右に設けた管体受けローラーであり、その表面にゴム等の摩擦係数の高い材料を用いるものとする。この場合、当該管体受けローラーの回転方向はグラインダ等４のディスクホイール１２の回転方向と反対方向に設定する。１６は管体受けローラーの軸、１７は一方のローラーの軸１６に装着したラチェットギヤー機構であり、管体受けローラーの回転方向にだけフリーとし、反対方向にはブレーキが掛かってストッパの役割を果たすようになっている。前記ラチェット機構は例えば公知のラチェットレンチの頭部構造を用いるものとし、これを左右の管体受けローラー１５の一つに取付けると共に管体受け部材１４側のブラケット１４１内に固定してある。
【００２３】
１８は基台１３に起立させた管体支持用支柱、１９はその支柱に取付部材１９１を介して上下移動できるように装着した横杆であり、これに角筒型のガイドアダプタ２′を挿通孔２０を介してスライド調節できるように取付けてある。なお、この場合、角筒型のガイドアダプタ２′に代えてガイドアダプタ２の凹溝８を横杆１９にスライド調節できるように取付けることもできる。この場合、横杆１９に対してガイドアダプタ２の凹溝８が外れないように止め具で止着しておくものとする。図中２１はキャブタイヤで被覆した電源コードを示す。
【００２４】
【具体的な作業例】
「作業例１」
硬質のビニール配水管体Ｐをガイドリング体１が接地しない高さの適当な架台に載せ、その管体の切断しようとする個所に細いフェルトペンで点や短い線をマーキングする。次に、そのマーキング個所から所定の寸法Ｌ（例えば５０ｍｍ）だけ離れた個所に側面１′が位置するようにあらかじめヒンジ１１を介して開いておいた分割式のガイドリング体１を当該管体に巻き付けてから止め金具１２で動かないように締め付ける。
【００２５】
ガイドアダプタ２の連結部材５に装着部付きの空回りロックナット３の装着部６を回り止め的に接合する。
【００２６】
空回りロックナット３のナット部３１をスパナを使ってグラインダ等の駆動軸１０に締め付ける。
【００２７】
ガイドアダプタ２の後側の凹部８をガイドリング体の平面直上から嵌め込むと共に、その後部底辺９の角部９１を管体Ｐの外径面に接触させる。この状態でグラインダ等４のスイッチをＯＮにしてディスクホイール１２を回転させる。
【００２８】
管体１の切断中において、切断ガイドアダプタ２をガイドリング体１に沿って前方に押してスライドさせる。そして、管体１をディスクホイール１２の回転方向（図７・図８で時計方向）と反対の方向に手又は足を使って少しずつ回転させながら連続して切断作業を行う。
【００２９】
「作業例２」
次に、管体Ｐの切断に管体支受台（図１１〜図１５）を用いる場合は、管体Ｐを載置する管体受けローラー１５上に当該管体を載置し、支柱１８に装着した横杆１９に取付けたガイドアダプタ２′を挿通孔２０を介して当該横杆に嵌合する。
【００３０】
前記横杆１９の側面に設けてある連結部材５にグラインダ等４の装着部６を接合し、その切断ガイドアダプタ２′の側面から所定の寸法Ｌ（例えば５０ｍｍ）だけ離れた位置にディスクホイール１２を位置させる。
【００３１】
この状態でグラインダ等４のスイッチをＯＮにしてディスクホイール１２を回転（図１２で時計方向）させ、ガイドアダプタ２′のグリップ７とグラインダ等４を手で持って横杆１９に沿ってスライド調節すると共に、支柱１８に沿って押し下げて管体Ｐを切断する。
【００３２】
そして、切断しながら管体Ｐを手又は足を使ってディスクホイール１２の回転と反対方向にフリーになっているの管体受けローラー１５を適度に回転して未切断部位を露呈させながら管体Ｐを切断する。この場合、前記の管体受けローラー１５はディスクホイール１２の回転と同じ方向にはブレーキが掛かってストッパとなり、回転しないようになっている。
【００３３】
【発明の効果】
本発明は上記の構成であるから、次のような効果がある。すなわち、７５ｍｍ・１００ｍｍの比較的小口径から、１５０ｍｍ・２００ｍｍの比較的大口径のビニールパイプ製配水管の外周を切断ガイドリング体にパイプ切断ガイドが移動し、且つパイプ切断ガイドに接続したグラインダ等のディスクホイールでパイプを真っ直ぐに切断する作業が罫書き等の目印を一切必要としないで簡単且つ正確で且つスピーディに行え、さらに安全性を高めて行える効果がある。
【図面の簡単な説明】
【図１】本発明に係るパイプ切断ガイドにグラインダ等を装着して管体を切断する状態を示す正面図である。
【図２】図１のパイプ切断ガイドにグラインダ等を装着して大口径のパイプを切断する状態の平面図である。
【図３】切断ガイドリング体の正面図である。
【図４】切断ガイドリング体の底面図である。
【図５】切断ガイドリング体の平面図である。
【図６】パイプ切断ガイドの斜視図である。
【図７】パイプ切断に用いる電気ディスクグラインダ及び空回り装着部付きロックナットの連結具の側面図である。
【図８】パイプ切断に用いる電気丸鋸及び空回り装着部付きロックナットの側面図である。
【図９】グラインダ等の切断ディスクホイールでパイプ切断開始直前状態を示す拡大側面図である。
【図１０】グラインダ等の切断ディスクホイールで図９の状態からパイプ切断している状態を示す拡大側面図である。
【図１１】管体支受台にパイプをセットした状態の正面図である。
【図１２】管体支受台の側面図である。
【図１３】管体支受台の平面図である。
【図１４】管体支受台の斜面図である。
【図１５】管体受け部材の正面図である。
【符号の説明】
１  ガイドリング体
１１  ヒンジ
１２  止め金具
２  ガイドアダプタ
３  空回り装着部付きロックナット
４  グラインダ等（電気ディスクグラインダ）
４′  電気丸鋸
５  連結部材
６  装着部
７  切断ガイドアダプタのグリップ
８  凹溝
９  ガイドリング体の底辺
１０  グラインダ等の駆動軸
１１  軸受け
１２  切断用ディスクホイール
１３  管体支受用の基台
１４  管体受け部材
１５  管体受けローラー
１６  ローラーの軸
１７  ラチェットギヤー機構
１８  支柱
１９  横杆
Ｐ  管体
【図１】
2004243484.tif 000003
【図２】
2004243484.tif 000004
【図３】
2004243484.tif 000005
【図４】
2004243484.tif 000006
【図５】
2004243484.tif 000007
【図６】
2004243484.tif 000008
【図７】
2004243484.tif 000009
【図８】
2004243484.tif 000010
【図９】
2004243484.tif 000011
【図１０】
2004243484.tif 000012
【図１１】
2004243484.tif 000013
【図１２】
2004243484.tif 000014
【図１３】
2004243484.tif 000015
【図１４】
2004243484.tif 000016
【図１５】
2004243484.tif 000017